(57)【要約】【課題】リンク状況の変動に即応でき、且つ負荷分散効果の高いリンク制御ができる伝送システムを提供することを目的とする。【解決手段】本発明に係る伝送システムは、複数の無線リンクでマルチリンク化された無線区間で伝送される無線フレームをデータリンク層で無線リンク毎に多重分離する無線装置を備える。アグリゲーションスイッチは、外部のネットワークで使用されるネットワークフレームをＭＲＬフレームに組み立て直し、無線リンク毎にＭＲＬフレームを振り分けるとともに、無線リンク毎のＭＲＬフレームを集約してネットワークフレームに組み立て直す。無線エントランス部は、アグリゲーションスイッチで振り分けられたＭＲＬフレームを無線フレームに変換して無線区間の無線リンク毎に送信し、無線区間の無線リンク毎に無線フレームを受信し、ＭＲＬフレームに変換してアグリゲーションスイッチに出力する。【選択図】図５
2010258606.tif 000002
【特許請求の範囲】
【請求項１】
伝送装置間に形成される複数の回線で伝送される伝送フレームをデータリンク層で前記回線毎に多重分離するリンクアグリゲーション方式を備える伝送システム。
【請求項２】
前記伝送装置は、
外部のネットワークで使用されるネットワークフレームをＭＲＬフレームに組み立て直し、前記回線毎に前記ＭＲＬフレームを振り分けるとともに、前記回線毎の前記ＭＲＬフレームを集約して前記ネットワークフレームに組み立て直すアグリゲーションスイッチと、
前記アグリゲーションスイッチで振り分けられた前記ＭＲＬフレームを前記伝送フレームに変換して前記回線毎に送信し、前記回線毎に前記伝送フレームを受信し、前記ＭＲＬフレームに変換して前記アグリゲーションスイッチに出力する送受信部と、
を有することを特徴とする請求項１に記載の伝送システム。
【請求項３】
前記回線は、無線区間に形成される無線リンクであり、
前記伝送装置は、前記伝送フレームを前記無線区間の前記無線リンクに対して送受信する無線装置であることを特徴とする請求項１又は２に記載の伝送システム。
【請求項４】
前記送受信部は、
前記無線装置の無線エントランス部であり、前記無線リンク毎に前記無線区間の状態をモニタし、前記無線区間の状態に基づいて前記無線リンク毎に変調方式を決定する適応変調制御を行うことを特徴とする請求項３に記載の伝送システム。
【請求項５】
前記アグリゲーションスイッチは、
前記無線エントランス部が行う適応変調制御の情報に基づき、前記無線リンク毎に振り分ける前記ＭＲＬフレームの配分を決定することを特徴とする請求項４に記載の伝送システム。
【請求項６】
前記アグリゲーションスイッチは、
前記ネットワークフレームの長さをモニタし、前記ＭＲＬフレームの長さを前記ネットワークフレームの平均長に基づいて決定することを特徴とする請求項２から５のいずれかに記載の伝送システム。
【発明の詳細な説明】
【技術分野】
【０００１】
本発明は、複数の回線にリンクアグリゲーション方式を適用する伝送システムに関する。
【背景技術】
【０００２】
無線区間をマルチリンク伝送するエントランス無線システムは図１に示すようにピアツーピア（Ｐｅｅｒ  ｔｏ  Ｐｅｅｒ）接続の無線基地局（ＢＴＳ）１１と無線ネットワーク制御装置（ＲＮＣ）１２との間に無線装置１３が挿入される構成となる。携帯電話システムの高速化やＡＬＬ−ＩＰ化に伴いＢＴＳ１１及びＲＮＣ１２のインターフェースはＩＥＥＥ８０２．３で規定される毎秒１ギガビットの信号（以下、「ＩＥＥＥ８０２．３で規定される毎秒１ギガビットの信号」を「ＧｂＥ信号」と記載する。）でのデータ転送が主流になる。このためＢＴＳ１１及びＲＮＣ１２がピーク速度（１Ｇｂｐｓ）のとき無線区間は所望の伝送容量をカバーできない。
【０００３】
この課題を解決する無線伝送方式として図２のような無線区間のマルチリンク化がある。図２は、ＢＴＳ１１とＲＮＣ１２との間のピアツーピア接続にリンクアグリゲーションを適用する無線伝送システムである。この場合、ＢＴＳ１１及びＲＮＣ１２のＧｂＥ信号はリンクアグリゲーション機能を具備したルーターで分散されるため、エントランス無線装置の伝送負荷が軽減する（例えば、特許文献１及び２を参照。）。
【０００４】
図２のような無線伝送システムの場合、ＩＰアドレスを用いるネットワーク層でのリンクアグリゲーション（ＩＰアグリゲーション）が適用される。図３は、ＩＰアグリゲーションプロトコルスタックである。図３に示すようにデータリンク層のリンク集約副層によりＩＰアドレスベースのリンクの分割及び集約を行う。これらの自動構成制御方式であるＬＡＣＰ（ＬｉｎｋＡｇｇｒｅｇａｔｉｏｎ  Ｃｏｎｔｒｏｌ  Ｐｒｏｔｏｃｏｌ）はＩＥＥＥ８０２．３ａｄにより標準化されている。
【先行技術文献】
【特許文献】
【０００５】
【特許文献１】特開２００７−２２１３５７号公報
【特許文献２】特開２００７−２４３９３８号公報
【発明の概要】
【発明が解決しようとする課題】
【０００６】
しかし、ＩＰアグリゲーションの制御方式は、最速で１メッセージ／秒である。このため、フェージングによる瞬断のような無線特有のリンク状況の変動に対する即応制御が困難という課題があった。さらに、ＩＰアグリゲーションは、図４のＩＰアグリゲーション方式説明図に示すように特定のユーザーデータ（同一ＩＰアドレス）にトラヒックが集中するとマルチリンクによる負荷分散効果が得られないという課題もあった。
【０００７】
前記課題を解決するために、本発明は、リンク状況の変動に即応でき、且つ負荷分散効果の高いリンク制御ができる伝送システムを提供することを目的とする。
【課題を解決するための手段】
【０００８】
上記目的を達成するために、本発明に係る伝送システムは、データリンク層でリンクアグリゲーションを行うプロトコルを採用する。具体的には、本発明に係る伝送システムは、データリンク層ベースのリンクアグリゲーション方式を適用する。本明細書では、データリンク層でリンクアグリゲーションを行うプロトコルをＭＲＬ（Ｍｕｌｔｉ−Ｒａｄｉｏ−Ｌｉｎｃ）アグリゲーションプロトコルと記載する。ＭＲＬアグリゲーションプロトコルは伝送装置間に複数の回線をもつ伝送システムに適用可能である。以下、伝送装置間が無線区間である伝送システムについて詳細に説明する。このため、伝送装置を無線装置として、回線が無線リンクとして本伝送システムを説明することがある。
【０００９】
具体的には、本発明に係る伝送システムは、複数の無線リンクでマルチリンク化された無線区間で伝送される無線フレームをデータリンク層で前記無線リンク毎に多重分離する無線装置を備える。
【００１０】
図５は、ＭＲＬアグリゲーションプロトコルスタックである。ＭＲＬアグリゲーションプロトコルは図に示すようにデータリンク層での多重分離方式である。ＭＲＬアグリゲーションプロトコルでは各無線リンクのデータリンク層の監視が容易であるため、無線リンクの状態変化や適応変調に即応したリンク制御ができ、特定ユーザーによるトラヒックの集中などによる負荷分散効果の低下が回避可能となる。
【００１１】
従って、本発明は、リンク状況の変動に即応でき、且つ負荷分散効果の高いリンク制御ができる伝送システムを提供することができる。
【００１２】
本発明に係る伝送システムの前記無線装置は、外部のネットワークで使用されるネットワークフレームをＭＲＬフレームに組み立て直し、前記無線リンク毎に前記ＭＲＬフレームを振り分けるとともに、前記無線リンク毎の前記ＭＲＬフレームを集約して前記ネットワークフレームに組み立て直すアグリゲーションスイッチと、前記アグリゲーションスイッチで振り分けられた前記ＭＲＬフレームを前記無線フレームに変換して前記無線区間の前記無線リンク毎に送信し、前記無線区間の前記無線リンク毎に前記無線フレームを受信し、前記ＭＲＬフレームに変換して前記アグリゲーションスイッチに出力する無線エントランス部と、を有する。アグリゲーションスイッチと無線エントランス部との間でＭＲＬアグリゲーションプロトコルを定義することで無線リンク状態に即応した制御が可能となる。
【００１３】
本発明に係る伝送システムの前記無線装置の無線エントランス部は、前記無線リンク毎に前記無線区間の状態をモニタしており、前記無線区間の状態に基づいて前記無線リンク毎に変調方式を決定する適応変調制御を行うことが好ましい。無線リンク毎に最適な変調方式を決定するため、リンクの途絶を回避することができる。
【００１４】
本発明に係る伝送システムの前記無線装置のアグリゲーションスイッチは、前記無線エントランス部が行う適応変調制御の情報に基づき、前記無線リンク毎に振り分ける前記ＭＲＬフレームの配分を決定することが好ましい。無線リンクの情報から各無線リンクに最適な負荷となるように無線フレームを分配するため、各無線リンクの付加を均等化して伝送効率が高くすることができる。
【００１５】
本発明に係る伝送システムの前記無線装置のアグリゲーションスイッチは、前記ネットワークフレームの長さをモニタし、前記ＭＲＬフレームの長さを前記ネットワークフレームの平均長に基づいて決定することが好ましい。無線フレーム冗長によるスルーレートの低下を防ぐことができる。
【発明の効果】
【００１６】
本発明は、リンク状況の変動に即応でき、且つ負荷分散効果の高いリンク制御ができる伝送システムを提供することができる。
【図面の簡単な説明】
【００１７】
【図１】従来の無線伝送システムの概略構成図である。
【図２】従来の無線伝送システムの概略構成図である。
【図３】従来の無線伝送システムのＩＰアグリゲーションプロトコルスタックである。
【図４】従来の無線伝送システムのＩＰアグリゲーション方式の説明図である。
【図５】本発明に係る伝送システムのＭＲＬアグリゲーションプロトコルスタックである。
【図６】本発明に係る伝送システムのＭＲＬアグリゲーション方式の説明図である。
【図７】本発明に係る伝送システムのアグリゲーションスイッチの処理を説明する図である。
【図８】本発明に係る伝送システムのアグリゲーションスイッチの処理を説明する図である。
【図９】本発明に係る伝送システムのアグリゲーションスイッチの処理を説明する図である。
【図１０】本発明に係る伝送システムのＭＲＬアグリゲーションプロトコルを説明する図である。
【図１１】本発明に係る伝送システムのＭＲＬアグリゲーションプロトコルを説明する図である。
【図１２】本発明に係る伝送システムのＭＲＬアグリゲーションプロトコルを説明する図である。
【図１３】本発明に係る伝送システムのＭＲＬアグリゲーションプロトコルを説明する図である。
【図１４】本発明に係る伝送システムのアグリゲーションスイッチの構成を説明するブロック図である。
【図１５】本発明に係る伝送システムの無線エントランス部の構成を説明するブロック図である。
【発明を実施するための形態】
【００１８】
添付の図面を参照して本発明の実施形態を説明する。以下に説明する実施形態は本発明の実施例のうち無線伝送システムに関する例である。本発明は、以下の無線伝送システムに制限されるものではなく、伝送装置間が複数の回線で結ばれる伝送システムにも適用できる。なお、本明細書及び図面において符号が同じ構成要素は、相互に同一のものを示すものとする。
【００１９】
本実施形態の無線伝送システムは、複数の無線リンクでマルチリンク化された無線区間で伝送される無線フレームをデータリンク層で前記無線リンク毎に多重分離する無線装置を備える。前記無線装置は、アグリゲーションスイッチと無線エントランス部を有する。
【００２０】
アグリゲーションスイッチは、外部のネットワークで使用されるネットワークフレームを前記ＭＲＬフレームに組み立て直し、前記無線リンク毎に前記ＭＲＬフレームを振り分けるとともに、前記無線リンク毎の前記ＭＲＬフレームを集約して前記ネットワークフレームに組み立て直す。
【００２１】
図１４は、本実施形態の無線伝送システムの無線装置が有するアグリゲーションスイッチのブロック図である。アグリゲーションスイッチは、ＢＴＳ１１又はＲＮＣ１２とネットワークフレームを送受するインターフェース３１、ＭＡＣ制御手段３２、バッファ３３、ネットワークフレームを分割しヘッダを付与して所定のバイト長のＭＲＬフレームを形成するＭＲＬフレーム形成手段３４、各無線リンクの伝送条件に従ってＭＲＬフレームを各無線リンクに分配する帯域制御手段３５、分配されたＭＲＬフレームを一時保管するバッファ３６、ＭＲＬ制御フレームを形成するＭＲＬ制御フレーム形成手段３７、バッファ３６のＭＲＬフレームにＭＲＬ制御フレーム形成手段３７で形成されたＭＲＬ制御フレームを挿入する挿入手段３８、ＭＡＣ制御手段３９、無線リンク毎にＭＲＬフレームを無線エントランスへ出力又は受信するインターフェース４０、受信したＭＲＬフレームとＭＲＬ制御フレームとを分離する分離手段４１、ＭＲＬフレームのヘッダ情報よりＭＲＬフレームに含まれるデータ（ＭＲＬ−ＤＡＴ）を抽出する抽出手段４２、ＭＲＬフレームのヘッダ情報よりＭＲＬフレームに含まれるＭＲＬ制御フレーム（ＭＲＬ−ｃｔｒｌ）を抽出する抽出手段４３、ヘッダを参照して送信順にＭＲＬ−ＤＡＴを出力する順序処理手段４４、ヘッダを参照して元のネットワークフレームを合成する合成手段４６、制御手段４５を有する。ＭＡＣ制御手段３２及びＭＡＣ制御手段３９は、プリアンブルの作成及び検出、フレームチェックシーケンス（ＦＣＳ）の検査及び生成、並びにＭＡＣアドレス検査を行う。
【００２２】
アグリゲーションスイッチは、バッファ３６、挿入手段３８、ＭＡＣ制御手段３９、インターフェース４０、分離手段４１、抽出手段４２、及び抽出手段４３を、無線区間の無線リンク毎に有する。
【００２３】
制御手段４５は、無線区間を伝送されてきたＭＲＬ制御フレームから各無線リンクの状態を認識し、当該無線リンクを利用して送出するＭＲＬフレームの帯域を決定して帯域制御手段３５に指示を出す。また、制御手段４５は、ＭＲＬ制御フレームを受信し、正常に受信できた場合、データ転送が正常に終了したことを通知するＡＣＫ信号を含むＭＲＬ制御フレームをＭＲＬフレームを送信した無線装置に対して送出するように指示を出す。
【００２４】
無線エントランス部は、前記アグリゲーションスイッチで振り分けられた前記ＭＲＬフレームを前記無線フレームに変換して前記無線区間の前記無線リンク毎に送信し、前記無線区間の前記無線リンク毎に前記無線フレームを受信し、前記ＭＲＬフレームに変換して前記アグリゲーションスイッチに出力する。
【００２５】
図１５は、本実施形態の無線伝送システムの無線装置が有する無線エントランス部のブロック図である。図１５の無線エントランス部は、図１４のアグリゲーションスイッチのインターフェース４０毎に接続される。無線エントランス部は、アグリゲーションスイッチのインターフェース４０のいずれかに接続し、ＭＲＬフレーム及びＭＲＬ制御フレームを受信するインターフェース５１と、ＭＡＣ制御手段５２、バッファ５３、ＭＲＬフレームを抽出する抽出手段５４、ＭＲＬ制御フレームを抽出する抽出手段７１、ＭＲＬフレームから無線フレームを形成する無線フレーム形成手段５５、変調手段５６、送信手段５７、周波数変換手段５８、アンテナ５９、受信手段６１、復調手段６２、無線フレームからＭＲＬフレーム形成するＭＲＬフレーム形成手段６３、フレーム同期手段６４、抽出手段７１で抽出したＭＲＬ制御フレームの情報を監視する監視手段７２、アグリゲーションスイッチへの指示を生成する制御手段７３、ＭＲＬ制御フレームを生成するＭＲＬ制御フレーム生成手段７４、ＭＲＬフレームにＭＲＬ制御フレームを挿入するＭＲＬ送出手段６５、バス７５を有する。ＭＡＣ制御手段５２は、プリアンブルの作成及び検出、フレームチェックシーケンス（ＦＣＳ）の検査及び生成、並びにＭＡＣアドレス検査を行う。バス７５は、各機能ブロック状態の情報や監視制御の情報を伝達する。
【００２６】
図６は、本無線装置の信号転送フロー図である。本無線装置の動作を図６、図１４、及び図１５を用いて説明する。まず、送信側から説明する。ステップ（１）でインターフェース３１はネットワークフレームを受信する。ステップ（２）でＭＲＬフレーム形成手段３４はネットワークフレームを分割しヘッダを付与して所定のバイト長のＭＲＬフレームを形成する。ここで、ＭＲＬフレーム形成手段３４はネットワークフレームの長さをモニタしており、ＭＲＬフレームの長さをネットワークフレームの平均長に基づいて決定する。例えば、ネットワークフレームの平均長の１／Ｎ（Ｎは整数）且つ２のべき乗テーブルから選択する方法でＭＲＬフレームの長さを決定する。平均ネットワークフレーム長に比例してＭＲＬフレーム長を決定することでＭＲＬフレームに組み立て直したときの冗長を
少なくすることができる。
【００２７】
ステップ（３）で帯域制御手段３５はＭＲＬフレームを無線区間の無線リンク毎に分離する。帯域制御手段３５は、後述するステップ（５’）で抽出する、無線エントランス部が行う適応変調制御の情報のＭＲＬ制御フレームに基づき、前記無線リンク毎に振り分ける前記ＭＲＬフレームの配分を決定する。
【００２８】
ステップ（４）でＭＲＬ制御フレーム形成手段３７はＭＲＬ制御フレームを形成し、挿入手段３８は各無線リンク毎に分離したＭＲＬフレームにＭＲＬ制御フレームを挿入する。ここで挿入されるＭＲＬ制御フレームには、無線エントランス部からの変調方式情報や無線リンク断の情報などを受領した旨を報知するＤＥＭＵＸ制御報知が含まれる。例えば、ＭＲＬ制御フレームは、図１０のＤＥＭＵＸ制御状態報知１０６や図１１のＤＥＭＵＸ制御状態報知１１４を含む。ステップ（５）でインターフェース４０は無線エントランス部にＭＲＬフレーム及びＭＲＬ制御フレームを送出する。
【００２９】
ステップ（６）でインターフェース５１はＭＲＬフレーム及びＭＲＬ制御フレームを受信する。ステップ（７）で抽出手段７１はＭＲＬ制御フレームを抽出し、監視７２はＭＲＬ制御フレームから指示された変調方式を決定する。ステップ（８）で無線フレーム形成手段５５はＭＲＬフレームから無線フレームを形成し、変調手段５６、送信手段５７、周波数変換手段５８及びアンテナ５９は無線フレームを対向する無線装置に送信する。
【００３０】
次に、受信側を説明する。ステップ（１’）でアンテナ５９、周波数変換手段５８、受信手段６１、及び復調手段６２は無線フレームを受信し、ＭＲＬフレーム形成手段６３は無線フレームからＭＲＬフレーム形成する。ステップ（２’）で制御手段７３及びＭＲＬ制御フレーム生成手段７４は無線リンクの状態を含むＭＲＬ制御フレームを生成する。ここで、生成されるＭＲＬ制御フレームには、無線エントランス部からの変調方式情報や無線リンク断の情報などを報知するＤＥＭＵＸ制御報知が含まれる。例えば、ＭＲＬ制御フレームは、図１０の変調方式報知１０５や図１１の受信リンクパス異常報知１１３を含む。ステップ（３’）でＭＲＬ送出手段６５はＭＲＬフレームにＭＲＬ制御フレームを挿入する。ステップ（３’）でＭＡＣ制御手段５２及びインターフェース５１はＭＲＬフレーム及びＭＲＬ制御フレームをアグリゲーションスイッチに送出する。
【００３１】
ステップ（４’）でインターフェース４０はＭＲＬフレーム及びＭＲＬ制御フレームを受信する。ステップ（５’）で抽出手段４３はＭＲＬ制御フレームを抽出し、制御手段４５は無線区間の状態を把握する。ステップ（６’）で抽出手段４２及び順序処理手段４４は無線リンク毎のＭＲＬフレームをまとめ、ヘッダを参照して送信順に並び替える。ステップ（７’）で合成手段４６はＭＲＬフレームからネットワークフレームを合成する。ステップ（８’）でインターフェース３１はネットワークフレームを送出する。
【００３２】
以上の説明のように、無線エントランス部は、無線リンク毎に無線区間の状態をモニタしており、ＭＲＬ制御フレームを用いてアグリゲーションスイッチに無線リンクの状態を報告する。さらに、ＭＲＬ制御フレームを受け取ったアグリゲーションスイッチは、無線区間の状態に基づいて無線リンク毎に変調方式を決定し、ＭＲＬ制御フレームを用いて無線エントランス部に変調方式を通知する。ＭＲＬ制御フレームを受け取った無線エントランス部は、無線リンク毎に変調方式を変えて無線フレームを送出する適応変調制御を行う。このように、本無線伝送システムは、ＭＲＬアグリゲーションプロトコルで規定されるＭＲＬ制御フレームを使用し、アグリゲーションスイッチと無線エントランス部との間で情報の授受を行う。
【００３３】
適応変調制御を行った場合、無線リンク毎に送信できる無線フレーム量が異なる。帯域制御手段３５は、送信できる無線フレーム量が少ない無線リンクに大量のＭＲＬフレームが集中しないようにＭＲＬフレームの配分を決定する。図７は、帯域制御手段３５のＭＲＬフレームの配分を説明する図である。
【００３４】
図７ではＭＲＬフレームを４つの無線リンク（×０、×１、×２、×３）に分離する場合について説明しているが、無線リンクの数は４つに限られない。例えば、×０の無線リンクは異状が発生して送信不能になっており、×１の無線リンクはＱＰＳＫ（９０度位相変調）方式で送信しており、×２の無線リンクは１６ＱＡＭ（振幅位相変調）方式で送信しており、×３の無線リンクは６４ＱＡＭ方式で送信しているとする。例えば、制御手段４５は無線リンク状態を確認し、無線リンク毎の伝送方式を決定し、ＭＲＬ制御フレーム形成手段３７にＭＲＬ制御フレームを形成させる。また、制御手段４５は帯域制御手段３５に無線リンク毎の帯域を通知し、帯域制御手段３５は伝送容量の大きい×３の無線リンクに多くのＭＲＬフレームを振り分け、異常が発生している×０の無線リンクにはＭＲＬフレームを振り分けないようにする。このとき、挿入手段３８は無線リンク毎のＭＲＬフレームのいずれかの場所に変調方式を記載したＭＲＬ制御フレームを挿入する。このように、アグリゲーションスイッチは、制御手段４５でＭＲＬ制御フレームを解析した無線リンク情報から各無線リンクに最適な負荷となるように、図７のように帯域制御手段３５で×０から×３の４状態の無線リンクにＭＲＬフレームを振り分ける。
【００３５】
図８は、ＭＲＬフレームのヘッダに記載される情報についての説明図である。ＭＲＬフレーム形成手段３４は、到着するネットワークフレームを所定の大きさに分割し、ＭＲＬフレームのデータエリアに順次積載していく。ここで、ＭＲＬフレーム形成手段３４は、図７のようなＭＲＬフレーム毎にヘッダを付与する。このヘッダは、メモリブロック番号、メモリアドレス、メモリ番号、ネットワークフレーム長情報、ネットワークフレーム分割番号、リンク番号、ＭＲＬヘッダの巡回冗長検査（ＣＲＣ）で構成される。このようなヘッダをＭＲＬフレームに付与し、データリンク層での無線フレームにカプセリングする。
【００３６】
図９は、ＭＲＬフレームからネットワークフレームを合成する動作の説明図である。ＭＲＬフレームは図８で説明したヘッダを持つ。本図では無線リンクの数は４であるがこの数に限定されない。ステップ（１１）で順序処理手段４４は無線リンク毎のＭＲＬフレームについてヘッダのメモリブロック番号毎に振り分ける。図９では、メモリブロック番号は２であるがこの数に限定されない。ステップ（１２）で順序処理手段４４はヘッダのメモリ番号及びメモリアドレスに従いデータの配列を行う。ステップ（１３）で順序処理手段４４はアドレスのデータを一括出力する。なお、書き込みが抜けている場合は一定の時間を待ってそのまま読み出す。また、同じ分割ネットワークフレームを含むＭＬＲフレームがある場合は当該ＭＲＬフレームを破棄する。なお、順序処理手段４４は巡回冗長検査（ＣＲＣ）に誤りがあるＭＲＬフレームのデータについては配列を行わない。ステップ（１４）で順序処理手段４４は一方のメモリブロックのアドレスＹ／メモリＸの読み出しが終了した後、他方のメモリブロックに切り替え、同様にステップ（１１）からステップ（１３）を行う。
【００３７】
なお、メモリブロックの大きさは、設定された装置情報に基づいて定められる。回線状態に応じてフレキシブルに変調状態を換える場合は、例えば、図１４の制御手段４５が無線回線の平均瞬断時間（バーストエラー時間）に基づいて決定する。また、メモリ番号Ｘは、制御手段４５がインターフェース４０のＭＲＬフレーム処理の遅延、及びジッタの最大値に基づいてが決定する。
【００３８】
図１０から図１３は、本無線伝送システムが採用するＭＲＬアグリゲーションプロトコルで規定される制御フローを説明する図である。何れの図も物理層とデータリンク層を示している。データリンク層における処理がＭＲＬ制御フレームでのやりとりとなる。図１０は、無線リンクの変調方式を切り替える際の制御フローである。無線装置Ｂの受信手段６１が受信レベルの低下を検知した場合、ステップ（３１）で送信手段５７は受信レベル低下報知１０１を行う。受信レベル低下報知１０１を受信手段６１で受けた無線装置Ａは、ステップ（３２）で送信手段５７を使い無線装置Ｂに対して変調方式切換予告１０２を行う。その後、無線装置Ａは、ステップ（３３）で変調手段５６の変調方式を切り替え、無線装置Ｂに対して変調方式切換報知１０３を行う。無線装置Ｂは、変調方式の切り替わった無線信号を受信可能となったときにステップ（３４）で送信手段５７を利用して正常引き込み報知１０４を無線装置Ａに対して行う。
【００３９】
無線装置Ａは、正常引き込み報知１０４を受信手段６１が受信した際、ステップ（３５）で制御手段７３が変調方式報知１０５のＭＲＬ制御フレームを生成するようにＭＲＬ制御フレーム生成手段７４に指示を出す。ＭＲＬ送出手段６５は当該ＭＲＬ制御フレームをアグリゲーションスイッチに送出する。当該ＭＲＬ制御フレームをインターフェース４０で受信したアグリゲーションスイッチでは、抽出手段４３が当該ＭＲＬ制御フレームを抽出し、制御手段４５がＭＲＬ制御フレーム形成手段３７に対して無線エントランス部から変調方式報知１０５を受信した旨の情報を含むＤＥＭＵＸ制御状態報知１０６のＭＲＬ制御フレームを形成するように指示を出す。ステップ（３６）で当該ＭＲＬ制御フレームはインターフェース４０を通じて無線エントランス部へ送出される。
【００４０】
一方、無線装置Ｂは、正常引き込み報知１０４を無線装置Ａに送出する際に、ステップ（３５’）で制御手段７３が変調方式報知１０５’のＭＲＬ制御フレームを生成するようにＭＲＬ制御フレーム生成手段７４に指示を出す。ＭＲＬ送出手段６５は当該ＭＲＬ制御フレームをアグリゲーションスイッチに送出する。当該ＭＲＬ制御フレームをインターフェース４０で受信したアグリゲーションスイッチでは、抽出手段４３が当該ＭＲＬ制御フレームを抽出し、制御手段４５がＭＲＬ制御フレーム形成手段３７に対して無線エントランス部から変調方式報知１０５’を受信した旨の情報を含むＭＵＸ制御情報報知１０６’のＭＲＬ制御フレームを形成するように指示を出す。ステップ（３６’）で当該ＭＲＬ制御フレームはインターフェース４０を通じて無線エントランス部へ送出される。
【００４１】
図１１は、無線装置Ｂにおいて無線エントランス部とアグリゲーションスイッチとの間で一部の無線リンクのＭＲＬ制御フレームが届かなくなったアグリゲーション受信パス異常の際の制御フローである。無線装置Ｂのアグリゲーションスイッチの制御手段４５は、ステップ（４１）で受信リンクパス異常報知１１１のＭＲＬ制御フレームを形成するようにＭＲＬ制御フレーム形成手段３７に指示を出し、当該ＭＲＬ制御フレームをインターフェース４０を通じて無線エントランス部へ送出する。無線エントランス部は当該ＭＲＬ制御フレームを受信し、ステップ（４２）で受信リンクパスが異常であることの受信リンクパス異常報知１１２を含む無線フレームを無線装置Ａの無線エントランス部へ送出する。無線装置Ａの無線エントランス部では、受信手段６１が当該無線フレームを受信した際に制御手段７３がＭＲＬ無線フレーム生成手段７４に対して無線装置Ｂで受信リンクパス異常が生じたことの受信リンクパス異常報知１１３を含むＭＲＬ無線フレームを生成させる。当該ＭＲＬ無線フレームはステップ（４３）でアグリゲーションスイッチに送出される。
【００４２】
当該ＭＲＬ制御フレームをインターフェース４０で受信したアグリゲーションスイッチでは、抽出手段４３が当該ＭＲＬ制御フレームを抽出し、制御手段４５がＭＲＬ制御フレーム形成手段３７に対して無線エントランス部から受信リンクパス異常報知１１３を受信した旨の情報を含むＤＥＭＵＸ制御状態報知１１４のＭＲＬ制御フレームを形成するように指示を出す。ステップ（４４）で当該ＭＲＬ制御フレームはインターフェース４０を通じて無線エントランス部へ送出される。無線エントランス部は、ステップ（４５）で当該ＭＲＬ制御フレームのＤＥＭＵＸ制御状態報知１１４を無線フレームに組み立て直してＤＥＭＵＸ制御状態報知１１５として無線装置Ｂへ送出する。無線装置Ｂの無線エントランス部は、受信手段６１が当該無線フレームを受信した際に制御手段７３がＭＲＬ無線フレーム生成手段７４に対してＤＥＭＵＸ制御状態報知１１６のＭＲＬ無線フレームを生成させる。当該ＭＲＬ無線フレームはステップ（４６）でアグリゲーションスイッチに送出される。
【００４３】
図１２は、無線装置Ａと無線装置Ｂとの間の無線区間が異常となったときの制御フローである。無線エントランス部の監視手段７２は、無線フレームが正常に送出されていないことを検知すると、ステップ（５１）でアグリゲーションスイッチに無線フレームが送出できないことを示す送信異常報知１２１を送信する。アグリゲーションスイッチの制御手段４５は、ＭＲＬ制御フレーム形成手段３７に対してステップ（５２）でＤＥＭＵＸ制御状態報知１２２のＭＲＬ制御フレームを形成するように指示を出し、当該ＭＲＬ制御フレームをインターフェース４０を通じて無線エントランス部へ送出する。
【００４４】
一方、無線装置Ｂの無線エントランス部の監視手段７２は、無線フレームが正常に受信されていないことを検知すると、ステップ（５３）でアグリゲーションスイッチに無線フレームが受信できないことを示す受信異常報知１２３を送信する。アグリゲーションスイッチの制御手段４５は、ＭＲＬ制御フレーム形成手段３７に対してステップ（５４）でリンク状態報知１２４のＭＲＬ制御フレームを形成するように指示を出し、当該ＭＲＬ制御フレームをインターフェース４０を通じて無線エントランス部へ送出する。
【００４５】
図１３は、無線装置Ａと無線装置Ｂとの間の無線区間の異常が復旧したときの制御フローである。無線装置Ａの無線エントランス部では、制御手段７３がＭＲＬ無線フレーム生成手段７４に対して無線区間の異常が復旧したことの送信復旧報知１３１のＭＲＬ無線フレームを生成させる。当該ＭＲＬ無線フレームはステップ（６１）でアグリゲーションスイッチに送出される。また、無線装置Ｂの無線エントランスの送信手段５７は、ステップ（６２）で無線リンクが復旧したことの無線リンク復旧報知１３２を含む無線フレームを無線装置Ａの無線エントランス部へ送信する。無線装置Ａの無線エントランス部では、受信手段６１が当該無線フレームを受信した際に制御手段７３がＭＲＬ無線フレーム生成手段７４に対して無線装置Ｂで無線リンクが復旧したことを示す無線リンク復旧報知１３３のＭＲＬ無線フレームを生成させる。当該ＭＲＬ無線フレームはステップ（６３）でアグリゲーションスイッチに送出される。
【００４６】
当該ＭＲＬ制御フレームをインターフェース４０で受信したアグリゲーションスイッチでは、抽出手段４３が当該ＭＲＬ制御フレームを抽出し、制御手段４５がＭＲＬ制御フレーム形成手段３７に対して無線エントランス部から無線リンク復旧報知１３３を受信した旨の情報を含むリンク制御状態報知１３４のＭＲＬ制御フレームを形成するように指示を出す。ステップ（６４）で当該ＭＲＬ制御フレームはインターフェース４０を通じて無線エントランス部へ送出される。無線エントランス部は、ステップ（６５）で当該ＭＲＬ制御フレームのリンク制御状態報知１３４を無線フレームに組み立て直してリンク制御状態報知１３５として無線装置Ｂへ送出する。無線装置Ｂの無線エントランス部は、受信手段６１が当該無線フレームを受信した際に制御手段７３がＭＲＬ無線フレーム生成手段７４に対してリンク制御状態報知１３６のＭＲＬ制御フレームを生成させる。当該ＭＲＬ制御フレームはステップ（６６）でアグリゲーションスイッチに送出される。アグリゲーションスイッチの制御手段４５は、ステップ（６７）で復旧報知１３７のＭＲＬ制御フレームを形成するようにＭＲＬ制御フレーム形成手段３７に指示を出し、当該ＭＲＬ制御フレームをインターフェース４０を通じて無線エントランス部へ送出する。
【産業上の利用可能性】
【００４７】
本発明に係る無線伝送システムは、無線ＬＡＮに適用することができる。
【符号の説明】
【００４８】
１１：無線基地局（ＢＴＳ）
１２：無線ネットワーク制御装置（ＲＮＣ）
１３：無線装置
３１：インターフェース
３２：ＭＡＣ制御手段
３３：バッファ
３４：ＭＲＬフレーム形成手段
３５：帯域制御手段
３６：バッファ
３７：ＭＲＬ制御フレーム形成手段
３８：挿入手段
３９：ＭＡＣ制御手段
４０：インターフェース
４１：分離手段
４２：抽出手段
４３：抽出手段
４４：順序処理手段
４５：制御手段
４６：合成手段
５１：インターフェース
５２：ＭＡＣ制御手段
５３：バッファ
５４：抽出手段
５５：無線フレーム形成手段
５６：変調手段
５７：送信手段
５８：周波数変換手段
５９：アンテナ
６１：受信手段
６２：復調手段
６３：ＭＲＬフレーム形成手段
６４：フレーム同期手段
６５：ＭＲＬ送出手段
７１：抽出手段
７２：監視手段
７３：制御手段
７４：ＭＲＬ制御フレーム生成手段
７５：バス
【図１】
2010258606.tif 000003
【図２】
2010258606.tif 000004
【図３】
2010258606.tif 000005
【図４】
2010258606.tif 000006
【図５】
2010258606.tif 000007
【図６】
2010258606.tif 000008
【図７】
2010258606.tif 000009
【図８】
2010258606.tif 000010
【図９】
2010258606.tif 000011
【図１０】
2010258606.tif 000012
【図１１】
2010258606.tif 000013
【図１２】
2010258606.tif 000014
【図１３】
2010258606.tif 000015
【図１４】
2010258606.tif 000016
【図１５】
2010258606.tif 000017